【手続補正書】
【提出日】令和1年5月17日(2019.5.17)
【手続補正１】
【補正対象書類名】明細書
【補正対象項目名】００８２
【補正方法】変更
【補正の内容】
【００８２】
本明細書で引用又は記載された各特許、特許出願及び刊行物は、まるで個々の特許、特許出願又は刊行物が具体的かつ個別的に参照により援用されたかのように、参照によりその全体が本明細書に援用される。
本発明に関連する発明の実施態様の一部を以下に示す。
［態様１］
樹脂部材組成物であって、
ポリマー樹脂；
フルオロポリマー添加剤；及び
シリコーン含有添加剤；
を含む樹脂部材組成物。
［態様２］
前記組成物の約５０質量％〜約９８質量％がポリマー樹脂から構成される、上記態様１に記載の組成物。
［態様３］
前記組成物の約０．５質量％〜約１５質量％がフルオロポリマー添加剤から構成される、上記態様１に記載の組成物。
［態様４］
前記組成物の約０．５質量％〜約１５質量％がシリコーン含有添加剤から構成される、上記態様１に記載の組成物。
［態様５］
前記組成物の約５０質量％〜約９８質量％がポリマー樹脂から構成され、前記組成物の約０．５質量％〜約１５質量％がフルオロポリマー添加剤から構成され、前記組成物の約０．５質量％〜約１５質量％がシリコーン含有添加剤から構成される、上記態様１に記載の組成物。
［態様６］
前記ポリマー樹脂が、ポリエチレンナフタレート（ＰＥＮ）、ポリエチレンテレフタレート（ＰＥＴ）、ポリブチレンナフタレート（ＰＢＮ）、ポリトリメチレンナフタレート（ＰＴＮ）、ポリ（シクロヘキシレンジメチレンテレフタレート）酸（ＰＣＴＡ）及びポリブチレンテレフタレート（ＰＢＴ）からなる群から選択された少なくとも１種のポリエステルを含む、上記態様１に記載の組成物。
［態様７］
前記フルオロポリマー添加剤が、ポリテトラフルオロエチレン（ＰＴＦＥ）、ポリフッ化ビニリデン（ＰＶＤＦ）、エチレンテトラフルオロエチレン（ＥＴＦＥ）、ペルフッ素化ポリエーテル（ＰＦＰＥ）及び変性フルオロアルコキシ（ＭＦＡ）ポリマーからなる群から選択された少なくとも１種のフルオロポリマーを含む、上記態様１に記載の組成物。
［態様８］
前記シリコーン添加剤がシロキサンを含む、上記態様１に記載の組成物。
［態様９］
前記シリコーン添加剤が、ポリジメチルシロキサン（ＰＤＭＳ）、ＰＤＭＳ誘導体、ポリジフェニルシロキサン、環状シロキサン及びアミノアルキルシロキサンからなる群から選択される、上記態様８に記載の組成物。
［態様１０］
前記組成物がヒュームドシリカを含む、上記態様１に記載の組成物。
［態様１１］
前記組成物が、ポリアミド（ＰＡ  ６；ＰＡ  ６，６；ＰＡ  ６，１２；ＰＡ  ６，１０；ＰＡ  ４，６；ＰＡ  １０；ＰＡ  １１；ＰＡ  １２、並びにそれらの芳香族誘導体）、ポリエーテルエーテルケトン（ＰＥＥＫ）、ポリエーテルケトン（ＰＥＫ）及びポリ（ｐ−フェニレンスルフィド）（ＰＰＳ／Ｒｙｔｏｎ（登録商標））、又はポリウレタンからなる群から選択されたポリマーを含む、上記態様１に記載の組成物。
［態様１２］
前記ポリエステル樹脂がＰＥＴを含み、前記フルオロポリマー添加剤がＰＶＤＦを含む、上記態様６に記載の組成物。
［態様１３］
前記シリコーン添加剤がシロキサンを含む、上記態様１２に記載の組成物。
［態様１４］
前記シリコーン添加剤が、ポリジメチルシロキサン（ＰＤＭＳ）、ＰＤＭＳ誘導体、ポリジフェニルシロキサン、環状シロキサン及びアミノアルキルシロキサンからなる群から選択される、上記態様１３に記載の組成物。
［態様１５］
前記組成物の約８０質量％〜約９７質量％がポリマー樹脂から構成される、上記態様２に記載の組成物。
［態様１６］
前記組成物の約１質量％〜約６質量％がフルオロポリマー添加剤から構成される、上記態様３に記載の組成物。
［態様１７］
前記組成物の約１質量％〜約６質量％がシリコーン含有添加剤から構成される、上記態様４に記載の組成物。
［態様１８］
前記組成物の約８０質量％〜約９７質量％がポリマー樹脂から構成され、前記組成物の約１質量％〜約６質量％がフルオロポリマー添加剤から構成され、前記組成物の約１質量％〜約６質量％がシリコーン含有添加剤から構成される、上記態様５に記載の組成物。
［態様１９］
前記ポリマー樹脂がＰＥＴであり、前記フルオロポリマー添加剤がＰＶＤＦであり、前記シリコーン含有添加剤がＰＤＭＳである、上記態様５又は１８に記載の組成物。
［態様２０］
前記ポリエステル樹脂が約１．２ｄＬ／ｇの固有粘度を有する、上記態様６に記載の組成物。
［態様２１］
前記ポリエステル樹脂が約０．７〜０．７５ｄＬ／ｇの固有粘度を有する、上記態様６に記載の組成物。
［態様２２］
前記ポリエステル樹脂が約０．８５〜１．０ｄＬ／ｇの固有粘度を有する、上記態様６に記載の組成物。
［態様２３］
（ａ）前記組成物の９４．２５質量％〜９５．８５質量％がＰＥＴであり；
（ｂ）前記組成物の２．５質量％がＰＶＤＦであり；
（ｃ）前記組成物の１．２５質量％がＰＤＭＳであり；
（ｄ）前記組成物の１．２５質量％がカルボジイミドであり；
（ｅ）前記組成物の０．４質量％〜２質量％が着色剤であり；
（ｆ）前記組成物の０．１０質量％〜５．０質量％がヒュームドシリカである；
上記態様１９に記載の組成物。
［態様２４］
前記組成物が、安定剤、相溶化剤、加水分解又は酸化防止剤、染料、顔料及びヒュームドシリカからなる群から選択された１又は２種以上の添加剤を含む、上記態様１に記載の組成物。
［態様２５］
ヤーン表面上で測定された水接触角が７４度を超えるモノフィラメントを製造するために使用される、上記態様１に記載の組成物。
［態様２６］
円形又は非円形断面を有するモノフィラメントヤーンを製造するために使用される、上記態様１に記載の組成物。
［態様２７］
ポリマー樹脂、フルオロポリマー添加剤及びシリコーン含有添加剤を含む樹脂部材組成物の製造方法であって、前記フルオロポリマー添加剤及び前記シリコーン含有添加剤が前記ポリマー樹脂に添加され、次いでポリマー樹脂が押出される、樹脂部材組成物の製造方法。
［態様２８］
前記組成物が、ポリアミド（ＰＡ  ６、ＰＡ  ６，６、ＰＡ  ６，１２、ＰＡ  ６，１０、ＰＡ  ４，６、ＰＡ  １０、ＰＡ  １１、ＰＡ  １２、及びそれらの芳香族誘導体）、ポリエーテルエーテルケトン（ＰＥＥＫ）、ポリエーテルケトン（ＰＥＫ）、ポリ（ｐ−フェニレンスルフィド）（ＰＰＳ／Ｒｙｔｏｎ（登録商標））、及びポリウレタンからなる群から選択された１又は２種以上のポリマーを含む、上記態様２７に記載の組成物の製造方法。
［態様２９］
前記組成物が、ポリエチレンナフタレート（ＰＥＮ）、ポリエチレンテレフタレート（ＰＥＴ）、ポリブチレンナフタレート（ＰＢＮ）、ポリトリメチレンナフタレート（ＰＴＮ）、ポリ（シクロヘキシレンジメチレンテレフタレート）酸（ＰＣＴＡ）及びポリブチレンテレフタレート（ＰＢＴ）からなる群から選択された１又は２種以上のポリマーを含む、上記態様２７に記載の組成物の製造方法。
［態様３０］
前記組成物が、安定剤、相溶化剤、加水分解又は酸化防止剤、染料、顔料及びヒュームドシリカからなる群から選択された１又は２種以上の添加剤を含む、上記態様２７に記載の組成物の製造方法。
［態様３１］
前記組成物が、繊維、ヤーン、リング、フィルム、箔、メッシュ、網、もしくは他の押出された要素、所望のパターンの構造化堆積物、又はコーティングに押出される、上記態様２７に記載の組成物の製造方法。
［態様３２］
前記押出された繊維が、約１．１ｄｔｅｘ〜約２００ｄｔｅｘのサイズを有する、上記態様３１に記載の組成物を製造する方法。
［態様３３］
前記押出されたヤーンが約０．０８ｍｍ〜約５ｍｍの直径を有する、上記態様３１に記載の組成物を製造する方法。
［態様３４］
前記組成物が産業用ファブリックを製造するために使用され、前記部材が、ヤーン、繊維、フィルム、箔、テープ、網（メッシュ）、リング、もしくは他の押出された要素、所望のパターンの構造化堆積物、又はコーティングである、上記態様１に記載の組成物。
［態様３５］
ＰＭＣフォーミングファブリック、プレスファブリック及びドライヤーファブリック、並びにプロセスベルト、インプレッションファブリック；ＴＡＤファブリック；ｅＴＡＤ、ＡＴＭＯＳもしくはＮＴＴマシン用のファブリック；例えばエアレイド、メルトブローイング、スパンボンディングもしくは水流交絡などのプロセスによって不織布の製造に使用される加工ファブリック、スリーブ又はベルト；スラッジフィルターもしくは他の湿式濾過プロセスで使用されるファブリック；例えば食品加工もしくは鉱業などの産業用途用のコンベヤーベルト；コルゲーターベルト；スパイラルリンクベルト、それらのピントルもしくはスタッファーヤーン用のスパイラルコイルリンク；テキスタイル仕上げプロセスで使用されるファブリックもしくはベルト；建材製品を製造するために使用されるベルトもしくはファブリック；あるいは、皮なめしベルトもしくはスリーブからなる群から選択されたファブリックを構成している、上記態様３４に記載の産業用ファブリック。
［態様３６］
前記ファブリックが、ＭＤ及び／もしくはＣＤでヤーンから織られたものであるか、あるいは、ＭＤもしくはＣＤヤーンアレイの不織布層、スパイラルリンク、メッシュもしくは網、リング、箔、フィルムもしくは他の押出された要素、所望のパターンの構造化堆積物、又はコーティングである、上記態様３５に記載の産業用ファブリック。
［態様３７］
上記態様１に記載の樹脂部材を含む、メッシュもしくは網、繊維、ヤーン、リング、フィルム、箔、もしくは他の押出された要素、所望のパターンの構造化堆積物、又はコーティング。
［態様３８］
上記態様１に記載の樹脂部材を含む抄紙用具。
［態様３９］
上記態様１に記載の樹脂部材を含む産業用ファブリック、ベルト又はスリーブ。
［態様４０］
産業用ファブリックのバット部に使用される繊維を製造するために使用される、上記態様１に記載の組成物。
［態様４１］
前記抄紙用具が、リールベルト、ＴＡＤ、ｅＴＡＤ、ＡＴＭＯＳ、及びＮＴＴファブリックからなる群から選択される、上記態様３８に記載の抄紙用具。
［態様４２］
上記態様１に記載の部材を含む、ＤＮＴベルト、フィルタープレス用のベルト、パルプウォッシャー、例えば配向ストランドボードもしくはコルゲーターベルトなどの建材製品を製造するためのベルト、皮なめしスリーブ、又はテキスタイル仕上げ用ベルトを構成している、加工ファブリック。
［態様４３］
前記部材は、プレスファブリック又はコルゲーターベルトのバット部である、上記態様３８又は４２に記載のファブリック。
［態様４４］
前記ファブリック、スリーブ又はベルトが、エアレイド、スパンボンド、溶融紡糸又は水流交絡からなる群から選択されたプロセスによって不織布を製造するために使用される、上記態様４２に記載の加工ファブリック。
［態様４５］
上記態様１に記載の部材を含むスタッファーヤーン又はピントル。
【手続補正２】
【補正対象書類名】特許請求の範囲
【補正対象項目名】全文
【補正方法】変更
【補正の内容】
【特許請求の範囲】
【請求項１】
樹脂部材組成物であって、
ポリマー樹脂；
フルオロポリマー添加剤；及び
シリコーン含有添加剤；
を含む樹脂部材組成物。
【請求項２】
前記組成物の５０質量％〜９８質量％がポリマー樹脂から構成される、請求項１に記載の組成物。
【請求項３】
前記組成物の０．５質量％〜１５質量％がフルオロポリマー添加剤から構成される、請求項１又は２に記載の組成物。
【請求項４】
前記組成物の０．５質量％〜１５質量％がシリコーン含有添加剤から構成される、請求項１〜３のいずれか一項に記載の組成物。
【請求項５】
前記組成物の８０質量％〜９７質量％がポリマー樹脂から構成される、請求項１に記載の組成物。
【請求項６】
前記組成物の１質量％〜６質量％がフルオロポリマー添加剤から構成される、請求項１又は５に記載の組成物。
【請求項７】
前記組成物の１質量％〜６質量％がシリコーン含有添加剤から構成される、請求項１、５又は６に記載の組成物。
【請求項８】
前記ポリマー樹脂が、ポリエチレンナフタレート（ＰＥＮ）、ポリエチレンテレフタレート（ＰＥＴ）、ポリブチレンナフタレート（ＰＢＮ）、ポリトリメチレンナフタレート（ＰＴＮ）、ポリ（シクロヘキシレンジメチレンテレフタレート）酸（ＰＣＴＡ）及びポリブチレンテレフタレート（ＰＢＴ）からなる群から選択された少なくとも１種のポリエステルを含む、請求項１〜７のいずれか一項に記載の組成物。
【請求項９】
前記フルオロポリマー添加剤が、ポリテトラフルオロエチレン（ＰＴＦＥ）、ポリフッ化ビニリデン（ＰＶＤＦ）、エチレンテトラフルオロエチレン（ＥＴＦＥ）、ペルフッ素化ポリエーテル（ＰＦＰＥ）及び変性フルオロアルコキシ（ＭＦＡ）ポリマーからなる群から選択された少なくとも１種のフルオロポリマーを含む、請求項１〜８のいずれか一項に記載の組成物。
【請求項１０】
前記シリコーン含有添加剤がシロキサンを含む、請求項１〜９のいずれか一項に記載の組成物。
【請求項１１】
前記シリコーン含有添加剤が、ポリジメチルシロキサン（ＰＤＭＳ）、ＰＤＭＳ誘導体、ポリジフェニルシロキサン、環状シロキサン及びアミノアルキルシロキサンからなる群から選択される、請求項１０に記載の組成物。
【請求項１２】
前記組成物がヒュームドシリカを含む、請求項１〜９のいずれか一項に記載の組成物。
【請求項１３】
前記組成物が、ポリアミド６、ポリアミド６，６、ポリアミド６，１２、ポリアミド６，１０、ポリアミド４，６、ポリアミド１０、ポリアミド１１、ポリアミド１２、及びそれらの芳香族誘導体、ポリエーテルエーテルケトン（ＰＥＥＫ）、ポリエーテルケトン（ＰＥＫ）及びポリ（ｐ−フェニレンスルフィド）（ＰＰＳ／Ｒｙｔｏｎ（登録商標））、並びにポリウレタンからなる群から選択されたポリマーを含む、請求項１〜１２のいずれか一項に記載の組成物。
【請求項１４】
前記ポリマー樹脂がＰＥＴを含み、前記フルオロポリマー添加剤がＰＶＤＦを含む、請求項１〜１３のいずれか一項に記載の組成物。
【請求項１５】
前記ポリマー樹脂がＰＥＴであり、前記フルオロポリマー添加剤がＰＶＤＦであり、前記シリコーン含有添加剤がＰＤＭＳである、請求項１〜１３のいずれか一項に記載の組成物。
【請求項１６】
前記ポリエステルが１．２ｄＬ／ｇの固有粘度を有する、請求項８に記載の組成物。
【請求項１７】
前記ポリエステルが０．７〜０．７５ｄＬ／ｇの固有粘度を有する、請求項８に記載の組成物。
【請求項１８】
前記ポリエステルが０．８５〜１．０ｄＬ／ｇの固有粘度を有する、請求項８に記載の組成物。
【請求項１９】
（ａ）前記組成物の９４．２５質量％〜９４．６０質量％がＰＥＴであり；
（ｂ）前記組成物の２．５質量％がＰＶＤＦであり；
（ｃ）前記組成物の１．２５質量％がＰＤＭＳであり；
（ｄ）前記組成物の１．２５質量％がカルボジイミドであり；
（ｅ）前記組成物の０．４質量％〜０．７５質量％が着色剤である；
請求項１５に記載の組成物。
【請求項２０】
前記組成物が、安定剤、相溶化剤、加水分解又は酸化防止剤、染料、顔料及びヒュームドシリカからなる群から選択された１又は２種以上の添加剤を含む、請求項１〜１９のいずれか一項に記載の組成物。
【請求項２１】
ヤーン表面上で測定された水接触角が７４度を超えるモノフィラメントを製造するために使用される、請求項１〜２０のいずれか一項に記載の組成物。
【請求項２２】
円形又は非円形断面を有するモノフィラメントヤーンを製造するために使用される、請求項１〜２１のいずれか一項に記載の組成物。
【請求項２３】
ポリマー樹脂、フルオロポリマー添加剤及びシリコーン含有添加剤を含む樹脂部材組成物の製造方法であって、前記フルオロポリマー添加剤及び前記シリコーン含有添加剤が前記ポリマー樹脂に添加され、次いでポリマー樹脂が押出される、樹脂部材組成物の製造方法。
【請求項２４】
前記組成物が、ポリアミド６、ポリアミド６，６、ポリアミド６，１２、ポリアミド６，１０、ポリアミド４，６、ポリアミド１０、ポリアミド１１、ポリアミド１２、及びそれらの芳香族誘導体、ポリエーテルエーテルケトン（ＰＥＥＫ）、ポリエーテルケトン（ＰＥＫ）、ポリ（ｐ−フェニレンスルフィド）（ＰＰＳ／Ｒｙｔｏｎ（登録商標））、並びにポリウレタンからなる群から選択された１又は２種以上のポリマーを含む、請求項２３に記載の組成物の製造方法。
【請求項２５】
前記組成物が、ポリエチレンナフタレート（ＰＥＮ）、ポリエチレンテレフタレート（ＰＥＴ）、ポリブチレンナフタレート（ＰＢＮ）、ポリトリメチレンナフタレート（ＰＴＮ）、ポリ（シクロヘキシレンジメチレンテレフタレート）酸（ＰＣＴＡ）及びポリブチレンテレフタレート（ＰＢＴ）からなる群から選択された１又は２種以上のポリマーを含む、請求項２３又は２４に記載の組成物の製造方法。
【請求項２６】
前記組成物が、安定剤、相溶化剤、加水分解又は酸化防止剤、染料、顔料及びヒュームドシリカからなる群から選択された１又は２種以上の添加剤を含む、請求項２３〜２５のいずれか一項に記載の組成物の製造方法。
【請求項２７】
前記組成物が、繊維、ヤーン、リング、フィルム、箔、メッシュ、網、もしくは他の押出された要素、所望のパターンの構造化堆積物、又はコーティングに押出される、請求項２３〜２６のいずれか一項に記載の組成物の製造方法。
【請求項２８】
前記押出された繊維が、１．１ｄｔｅｘ〜２００ｄｔｅｘのサイズを有する、請求項２７に記載の組成物を製造する方法。
【請求項２９】
前記押出されたヤーンが０．０８ｍｍ〜５ｍｍの直径を有する、請求項２３〜２８のいずれか一項に記載の組成物を製造する方法。
【請求項３０】
前記部材が、ヤーン、繊維、フィルム、箔、テープ、網（メッシュ）、リング、もしくは他の押出された要素、所望のパターンの構造化堆積物、又はコーティングである、請求項１〜２２のいずれか一項に記載の樹脂部材組成物を含む部材を含む産業用ファブリック。
【請求項３１】
抄紙用具（ＰＭＣ）フォーミングファブリック、プレスファブリック及びドライヤーファブリック、並びにプロセスベルト、インプレッションファブリック；スルーエアードライヤー（ＴＡＤ）ファブリック；高エネルギー効率先端技術乾燥（ｅＴＡＤ）、先端ティッシュ成形システム（ＡＴＭＯＳ）もしくは新ティッシュ技術（ＮＴＴマシン）用のファブリック；不織布の製造に使用される加工ファブリック、スリーブ又はベルト；スラッジフィルターもしくは他の湿式濾過プロセスで使用されるファブリック；産業用途用のコンベヤーベルト；コルゲーターベルト；スパイラルリンクベルト、それらのピントルもしくはスタッファーヤーン用のスパイラルコイルリンク；テキスタイル仕上げプロセスで使用されるファブリックもしくはベルト；建材製品を製造するために使用されるベルトもしくはファブリック；あるいは、皮なめしベルトもしくはスリーブからなる群から選択されたファブリックを構成している、請求項３０に記載の産業用ファブリック。
【請求項３２】
前記ファブリックが、ＭＤ及び／もしくはＣＤでヤーンから織られたものであるか、あるいは、ＭＤもしくはＣＤヤーンアレイの不織布層、スパイラルリンク、メッシュもしくは網、リング、箔、フィルムもしくは他の押出された要素、所望のパターンの構造化堆積物、又はコーティングである、請求項３１に記載の産業用ファブリック。
【請求項３３】
請求項１〜２２のいずれか一項に記載の樹脂部材組成物を含む、メッシュもしくは網、繊維、ヤーン、リング、フィルム、箔、もしくは他の押出された要素、所望のパターンの構造化堆積物、又はコーティング。
【請求項３４】
請求項１〜２２のいずれか一項に記載の樹脂部材組成物を含む樹脂部材を含む抄紙用具。
【請求項３５】
請求項１〜２２のいずれか一項に記載の樹脂部材組成物を含む樹脂部材を含む産業用ファブリック、ベルト又はスリーブ。
【請求項３６】
産業用ファブリックのバット部に使用される繊維を製造するために使用される、請求項１〜２２のいずれか一項に記載の組成物。
【請求項３７】
前記抄紙用具が、リールベルト、ＴＡＤ、ｅＴＡＤ、ＡＴＭＯＳ、及びＮＴＴファブリックからなる群から選択される、請求項３４に記載の抄紙用具。
【請求項３８】
請求項１〜２２のいずれか一項に記載の部材を含む、ＤＮＴベルト、フィルタープレス用のベルト、パルプウォッシャー、例えば配向ストランドボードもしくはコルゲーターベルトなどの建材製品を製造するためのベルト、皮なめしスリーブ、又はテキスタイル仕上げ用ベルトを構成している、加工ファブリック。
【請求項３９】
前記部材は、プレスファブリック又はコルゲーターベルトのバット部である、請求項３４又は３８に記載のファブリック。
【請求項４０】
前記ファブリック、スリーブ又はベルトが、エアレイド、スパンボンド、溶融紡糸又は水流交絡からなる群から選択されたプロセスによって不織布を製造するために使用される、請求項３８に記載の加工ファブリック。
【請求項４１】
請求項１〜２２のいずれか一項に記載の部材を含むスタッファーヤーン又はピントル。
【請求項４２】
さらに、前記組成物の０．１０質量％〜０．３５質量％のヒュームドシリカを含む、請求項１９に記載の組成物。
【請求項４３】
前記加工ファブリック、スリーブ又はベルトが、エアレイド、メルトブローイング、スパンボンディング又は水流交絡プロセスによって不織布の製造に使用される、請求項３１に記載の産業用ファブリック。